(57)【特許請求の範囲】
【請求項１】
外部に向かって開口した挿入口から手を抜き差しできる乾燥室と、
前記乾燥室の底部の水受け部に向けて空気を送出するノズル部と、
前記ノズル部から空気を送出するファンと、
前記ファンと連結したモータと、
前記ファンと前記モータの外枠を構成するファン外枠とモータ外枠とを備えた手乾燥装置であって、
前記モータと２本以上のリード線により連結しある一定の温度になったら前記モータへの通電を遮断するサーマルプロテクタと、
このサーマルプロテクタを保持するカバーとを備え、
このカバーは、前記サーマルプロテクタを保持した状態で、前記サーマルプロテクタ側を前記モータの外枠側にして前記モータの外枠に固定したことを特徴とする手乾燥装置。
【請求項２】
前記サーマルプロテクタは、一端に２本の前記リード線をＶ字状に設け、かつ、反リード線側を奥にして袋部に挿入し、
前記カバーには、前記袋部に挿入する突部を設けて前記サーマルプロテクタを保持することを特徴とする請求項１記載の手乾燥装置。
【請求項３】
モータ外郭に開口部を設け、前記開口部を介してカバーを固定することを特徴とする請求項１または２記載の手乾燥装置。
【請求項４】
カバーのモータ外枠への固定を、バインドで固定することを特徴とする請求項１〜３いずれかひとつに記載の手乾燥装置。
【請求項５】
カバーのモータ外枠への固定を、前記ファン外枠とモータ外枠を結合する結合孔にネジ止めで固定することを特徴とする請求項１〜３いずれかひとつに記載の手乾燥装置。
【請求項６】
前記ファンから吹き出される空気を温めるヒーターを設け、
このヒーターは、モータを挟んで前記サーマルプロテクタと対向する位置に取り付けることを特徴とする請求項１〜５いずれかひとつに記載の手乾燥装置。
【発明の詳細な説明】
【技術分野】
【０００１】
本発明は、洗面所やトイレなどで手を洗った後、濡れた手を乾燥させる手乾燥装置に関する。
【背景技術】
【０００２】
洗浄後の濡れた手を乾燥させる装置として、高速空気流により手に付着した水滴を吹き飛ばし、手を乾燥させる手乾燥装置が知られている（例えば、特許文献１参照）。
【０００３】
以下、その手乾燥装置を、図１０を参照しながら説明する。
【０００４】
図に示すように、本体ケース１０１は、前面と天面と両側面とを覆うフロントケース１０１Ａと、壁面側を覆うリアケース１０１Ｂとによって外装を形成している。本体ケース１０１の内部には、送風手段１０２と、この送風手段１０２と連通し送風空気を吹き出す吹出しノズル１０３と、電装部品を制御する制御手段１０４を設けている。送風手段１０２は、送風空気を発生させるファンモータ１０２Ａと送風ケース１０２Ｂからなる。吹出しノズル１０３内の風路には送風空気を温風にする発熱手段１０５を設けている。本体ケース１０１の下面には、吹出しノズル１０３の吹出口と、送風空気を本体ケース１０１内部に取り込む吸込み口１０６と、この吸込み口１０６から吸い込まれる送風空気のほこりを除去するフィルター１０７が設けられている。
【先行技術文献】
【特許文献】
【０００５】
【特許文献１】国際公開第０２／０２８２５０号（第１１頁、第１図）
【発明の概要】
【発明が解決しようとする課題】
【０００６】
このような従来の手乾燥装置では、ファンモータが過剰に回転し続けた場合、ファンモータが発熱し異常に作動するおそれがあるという課題がある。
【０００７】
本発明は、このような従来の課題を解決するものであり、簡単な構成で、ファンモータが過剰に回転し続けて、ファンモータが発熱し異常に作動するのを防止する手乾燥装置を提供することを目的とする。
【課題を解決するための手段】
【０００８】
本発明の手乾燥装置は、上記目的を達成するために、外部に向かって開口した挿入口から手を抜き差しできる乾燥室と、前記乾燥室の底部の水受け部に向けて空気を送出するノズル部と、前記ノズル部から空気を送出するファンと、前記ファンと連結したモータと、前記ファンと前記モータの外枠を構成するファン外枠とモータ外枠とを備えた手乾燥装置であって、
前記モータと２本以上のリード線により連結しある一定の温度になったら前記モータへの通電を遮断するサーマルプロテクタと、このサーマルプロテクタを保持するカバーとを備え、このカバーは、前記サーマルプロテクタを保持した状態で、前記サーマルプロテクタ
側を前記モータの外枠側にして前記モータの外枠に固定したものである。
【０００９】
また、他の手段は、前記サーマルプロテクタは、一端に２本の前記リード線をＶ字状に設け、かつ、反リード線側を奥にして袋部に挿入し、前記カバーには、前記袋部に挿入する突部を設けて前記サーマルプロテクタを保持するものである。
【００１０】
また、他の手段は、モータ外郭に開口部を設け、前記開口部を介してカバーを固定するものである。
【００１１】
また、他の手段は、カバーのモータ外枠への固定を、バインドで固定するものである。
【００１２】
また、他の手段は、カバーのモータ外枠への固定を、前記ファン外枠とモータ外枠を結合する結合孔にネジ止めで固定するものである。
【００１３】
また、他の手段は、前記ファンから吹き出される空気を温めるヒーターを設け、このヒーターは、モータを挟んで前記サーマルプロテクタと対向する位置に取り付けるものである。
【発明の効果】
【００１４】
本発明によれば、外部に向かって開口した挿入口から手を抜き差しできる乾燥室と、前記乾燥室の底部の水受け部に向けて空気を送出するノズル部と、前記ノズル部から空気を送出するファンと、前記ファンと連結したモータと、前記ファンと前記モータの外枠を構成するファン外枠とモータ外枠とを備えた手乾燥装置であって、前記モータと２本以上のリード線により連結しある一定の温度になったら前記モータへの通電を遮断するサーマルプロテクタと、このサーマルプロテクタを保持するカバーとを備え、このカバーは、前記サーマルプロテクタを保持した状態で、前記サーマルプロテクタ側を前記モータの外枠側にして前記モータの外枠に固定したことにより、サーマルプロテクタがモータの発熱を検知し、モータが異常に回転する温度になると、モータへの通電を遮断するので、モータの発熱による異常回転を防止することができるという効果のある手乾燥装置を提供することができる。
【００１５】
また、モータ外枠に確実に固定でき、モータの発熱の検知をすることができるという効果のある手乾燥装置を提供することができる。
【００１６】
また、カバーにサーマルプロテクタを簡単な構成で保持することができるという効果のある手乾燥装置を提供することができる。
【図面の簡単な説明】
【００１７】
【図１】本発明の実施の形態１の手乾燥装置の全体を示す側構成図
【図２】同手乾燥装置のサーマルプロテクタをモータ外枠に取り付けた状態を示す斜視図
【図３】同手乾燥装置のサーマルプロテクタを保持するカバーの状態を示す拡大正面図
【図４】同手乾燥装置のサーマルプロテクタをモータの開口部に取り付けた状態を示す拡大図
【図５】同手乾燥装置のサーマルプロテクタをバインドでモータに固定した状態を示す斜視図
【図６】同手乾燥装置の状態を示す上構成図
【図７】同手乾燥装置のサーマルプロテクタをモータの開口部に取り付けた状態を示す拡大図
【図８】本発明の実施の形態２の手乾燥装置のサーマルプロテクタをネジでモータ外枠に取り付けた状態を示す斜視図
【図９】同手乾燥装置のサーマルプロテクタをネジでモータ外枠に取り付けた状態を示す上面図
【図１０】従来の手乾燥装置の全体を示す側構成図
【発明を実施するための形態】
【００１８】
本発明の請求項１記載の手乾燥装置は、外部に向かって開口した挿入口から手を抜き差しできる乾燥室と、前記乾燥室の底部の水受け部に向けて空気を送出するノズル部と、前記ノズル部から空気を送出するファンと、前記ファンと連結したモータと、前記ファンと前記モータの外枠を構成するファン外枠とモータ外枠とを備えた手乾燥装置であって、前記モータと２本以上のリード線により連結しある一定の温度になったら前記モータへの通電を遮断するサーマルプロテクタと、このサーマルプロテクタを保持するカバーとを備え、このカバーは、前記サーマルプロテクタを保持した状態で、前記サーマルプロテクタ側を前記モータの外枠側にして前記モータの外枠に固定したものであり、サーマルプロテクタがモータから伝わったモータ外枠の温度を検知して、ある一定の温度になったら、モータへの通電を遮断するという作用を有する。
【００１９】
以下、本発明の実施の形態について、図面を参照しながら説明する。
【００２０】
（実施の形態１）
図１および図２に示すように、外部に向かって開口した挿入口から手を抜き差しできる乾燥室１と、乾燥室１の底部の水受け部２に向けて空気を送出するノズル部３と、ノズル部３から空気を送出するファン４と、ファン４と連結したモータ５と、ファン４とモータ５の外枠を構成するファン外枠６とモータ外枠７と、ノズル部３とファン４との間にヒーター８を設け、ファン４に空気を送出するための吸気口９を備えている。そして、モータ外枠７に、モータ５と２本以上のリード線１０により連結しある一定の温度になったらモータ５への通電を遮断するサーマルプロテクタ１１を設ける構成とする。
【００２１】
上記構成により、モータ５が回転することにより熱が発生し、モータ５とモータ外枠７との空間に熱が伝わってモータ外枠７が熱せられ、モータ外枠７の温度をサーマルプロテクタ１１が検知して、ある一定の温度になったら、モータ５への通電を遮断する。
【００２２】
よって、サーマルプロテクタ１１がモータ５の発熱を検知し、モータ５が異常に回転し発熱する温度になると、モータ５への通電を遮断するので、モータ５の発熱による異常回転を防止することができる。
【００２３】
また、図２および図３に示すように、サーマルプロテクタ１１を保持するカバー１２を設け、サーマルプロテクタ１１をカバー１２に保持し、その保持した状態でモータ外枠７に固定する。すなわち、カバー１２のモータ外枠７側にサーマルプロテクタ１１を覆うような袋部１４を設け、サーマルプロテクタ１１から２本のリード線１０がＶ字状に出るように、そのサーマルプロテクタ１１のＶ字状の交点にカバー１２の突部１３を挿入し、モータ外枠７に固定する。
【００２４】
上記構成により、サーマルプロテクタ１１をカバー１２に保持し、モータ外枠７に固定する、すなわち、サーマルプロテクタ１１の袋部１４にカバー１２の突部１３に挿入して固定する。
【００２５】
よって、カバー１２によりサーマルプロテクタ１１をモータ外枠７保持するので、モータ外枠７にサーマルプロテクタ１１を確実に固定することができ、モータ５の発熱の検知
をすることができ、さらに、サーマルプロテクタ１１に袋部１４を、カバー１２に突部１３を設けることにより、カバー１２にサーマルプロテクタ１１を簡単な構成で保持することができる。
【００２６】
このサーマルプロテクタ１１を固定するカバー１２を、例えばＰＢＴなどの耐熱性の樹脂にすることで、モータ５自体からの発熱およびモータ５の発熱から伝わったモータ外枠７の発熱によって、カバー１２の変形を防ぐことができることとなる。
【００２７】
また、カバー１２を、金属とすると、モータ５自体からの発熱およびモータ５の発熱から伝わったモータ外枠７の発熱によるカバー１２の変形を防ぐことができるとともに、樹脂を成形するための大型の金型が必要ではないので、結果、加工するコストを低減することができることとなる。
【００２８】
上記構成により、モータ５自体からの発熱およびモータ５の発熱から伝わったモータ外枠７の発熱が、耐熱性の樹脂であるカバー１２、あるいは、金属であるカバー１２に伝わる。
【００２９】
よって、カバー１２が耐熱性の樹脂でできている場合は、モータ５の発熱によるカバー１２の変形を防ぐことができ、また、カバー１２が金属でできている場合は、モータ５の発熱によるカバー１２の変形を防ぐことができるとともに、加工するコストを低減することができる。
【００３０】
また、図４に示すように、モータ外枠７に開口部１５を設け、また、カバー１２に、ファン４側および対向する位置に突出させたファン側突出部１６およびモータ側突出部１７も設け、モータ側突出部１７を開口部１５に挿入し、ファン側突出部１６をファン外枠６に接して、カバー１２を固定する。
【００３１】
上記構成により、開口部１５の付近にカバー１２を固定する。
【００３２】
よって、開口部１５により、カバー１２の端で簡単に確実に固定することができるとともに、モータ５自体の発熱をも開口部１５からの温度を検知できるので、より正確にモータ５の発熱を検知することができる。
【００３３】
また、図５に示すように、カバー１２のファン外側突出部１６側の一端を、耐熱性の樹脂製のバインド１８で、モータ外枠７の外周に縛って固定する構成とする。
【００３４】
上記構成により、カバー１２をモータ外枠７へ、バインド１８により固定する。
【００３５】
よって、容易にモータ外枠７にサーマルプロテクタ１１を固定することができる。
【００３６】
また、図６に示すように、カバー１２のモータ外枠７への固定を、ヒーター８が設置しているところと対向する位置に取り付ける構成とする。濡れた手を短時間で乾燥させるためにヒーター８などの加熱手段を設けているが、加熱手段であるヒーター８の設置位置と、モータ５の温度を検知するサーマルプロテクタ１１の位置が近い場合、モータ５の温度を検知するはずのサーマルプロテクタ１１が誤って、ヒーター８の温度を検知することがある。よって、ヒーター８と対向する限り、ヒーター８より遠い位置に取り付けることで、ヒーター８の温度を検知することなく、モータ５のみの発熱を正確に検知することができることとなる。
【００３７】
上記構成により、カバー１２をモータ外枠７へ、ヒーター８と対向する位置に取り付け
ることになる。
【００３８】
よって、サーマルプロテクタ１１がヒーター８の温度を検知することなく、モータ５のみの発熱を検知することができる。
【００３９】
また、図７に示すように、２本あるリード線１０の少なくとも１本のリード線１０ａを、開口部１５側に設ける構成とする。
【００４０】
上記構成により、少なくとも１本のリード１０ａ線を、開口部１５側に設けモータ５に連結する。
【００４１】
よって、カバー１２からモータ５に連結する開口部１５側のリード線１０ａを、モータ外枠７のエッジ部に接触することを防ぎ、モータ外枠７に接触して傷つけることを防ぐことができる。
【００４２】
このとき、サーマルプロテクタ１１を保持するカバー１２の端面もエッジ処理やラウンドをつけることが望ましい。
【００４３】
（実施の形態２）
図８および図９において、実施の形態１と異なるところは、カバー１２のモータ外枠７への固定を、ファン外枠６とモータ外枠７を結合する結合孔１９にネジ２０で止め固定するが、カバー１２をモータ外枠７へ、ファン外枠６とモータ外枠７を結合する結合孔１９にネジ２０止めで固定する点である。図８および図９において、図５と同じ構成要素については同じ符号を用いてその説明を省略する。
【００４４】
上記構成により、カバー１２をモータ外枠７へ、ファン外枠６とモータ外枠７を結合する結合孔１９のネジ２０止めで固定する。
【００４５】
よって、結合孔１９とネジ２０止めを兼ねることで新たにバインド用の孔を設ける必要がないとともに、しっかりとモータ外枠７にカバー１２を固定することができる。
【産業上の利用可能性】
【００４６】
本発明の手乾燥装置は、レストランやホテルなどの洗面所やトイレに設置され、また病院の手術室や調理場においても有用である。
【符号の説明】
【００４７】
１  ・・乾燥室
２  ・・水受け部
３  ・・ノズル部
４  ・・ファン
５  ・・モータ
６  ・・ファン外枠
７  ・・モータ外枠
８  ・・ヒーター
９  ・・吸気口
１０・・リード線
１１・・サーマルプロテクタ
１２・・カバー
１３・・突部
１４・・袋部
１５・・開口部
１８・・バインド
１９・・結合孔
２０・・ネジ
【図１】
0004985269.tif 000002
【図２】
0004985269.tif 000003
【図３】
0004985269.tif 000004
【図４】
0004985269.tif 000005
【図５】
0004985269.tif 000006
【図６】
0004985269.tif 000007
【図７】
0004985269.tif 000008
【図８】
0004985269.tif 000009
【図９】
0004985269.tif 000010
【図１０】
0004985269.tif 000011